(57)【特許請求の範囲】
【請求項１】
第１断裁胴，折胴及び折込ローラを有し、印刷された一又は複数のウェブからなる第１のウェブ群を断裁し横折りする断裁横折装置と、
第２断裁胴及び受け胴を有し、印刷された一又は複数のウェブからなる第２のウェブ群を断裁する断裁装置と、
前記断裁装置により断裁された前記第２のウェブ群である第２のシート群を前記断裁横折装置に搬送する搬送装置と、
前記搬送装置により搬送された前記第２のシート群を、前記断裁横折装置の前記折胴外周に送給された前記第１のウェブ群と前記折胴外周との間に送り込んで前記第１のウェブ群と共に前記折胴外周に巻き付ける案内機構とをそなえ、
前記断裁横折装置は、前記第１断裁胴により断裁された前記第１のウェブ群である第１のシート群と前記第２のシート群とを互いにに重合させた状態で、前記折胴及び前記折込ローラによって横折りする
ことを特徴とする、複合折機。
【請求項２】
前記第２のシート群の断裁長さは前記第１のシート群の断裁長さよりも短い
ことを特徴とする、請求項１記載の複合折機。
【請求項３】
前記断裁装置は、前記第２のシート群の断裁長さを調整可能に構成され、
前記搬送装置は、前記第２のシート群を前記断裁長さに応じた速度に速度変更して前記断裁横折装置に搬送する
ことを特徴とする、請求項１又は２記載の複合折機。
【請求項４】
前記搬送装置は、互いに対向して配置され、前記第２のシート群を挟持しながら搬送する一対の搬送ベルトを有する搬送ベルト装置である
ことを特徴とする、請求項１〜３の何れか１項に記載の複合折機。
【請求項５】
前記案内機構は、前記第１のウェブ群と前記折胴外周との間に送り込まれる前記第２のシート群を、前記折胴外周に保持する保持機構をそなえている
ことを特徴とする、請求項１〜４の何れか１項に記載の複合折機。
【請求項６】
前記保持機構は、前記第２のシート群を爪によって把持する機構を有している
ことを特徴とする、請求項５記載の複合折機。
【請求項７】
前記保持機構は、前記第２のシート群に針を差し込んで保持する機構を有している
ことを特徴とする、請求項５記載の複合折機。
【請求項８】
前記第２のシート群に差し込まれる前記針は、前記第１のシート群を前記折胴外周に保持するための針が兼用される
ことを特徴とする、請求項７記載の複合折機。
【請求項９】
前記保持機構は、前記第２のシート群を前記折胴外周に圧接するニップローラを有している
ことを特徴とする、請求項５記載の複合折機。
【請求項１０】
前記保持機構は、前記針によって保持された前記第２のシート群を前記折胴外周に圧接するニップローラを有している
ことを特徴とする、請求項７又は８記載の複合折機。
【請求項１１】
前記保持機構は、前記折胴外周面の内部に吸引部を有し、前記第２のシート群を前記折胴外周面吸引して保持する吸引機構を有している
ことを特徴とする、請求項５記載の複合折機。
【請求項１２】
前記搬送装置は、互いに対向して配置され、前記第２のシート群を挟持しながら搬送する一対の搬送ベルトを有する搬送ベルト装置であって、
前記案内機構は、前記折胴外周にクリアランスをもって接近して配置され、前記搬送ベルト装置の前記折胴外周を向く一方の搬送ベルトと対向して設けられ前記一方の搬送ベルトと同期して回転可能なコロを有し、前記一方の搬送ベルトと前記コロとの間で前記第２のシート群を挟持しながら前記第１のウェブ群と前記折胴外周との間に送り込む
ことを特徴とする、請求項１〜１１の何れか１項に記載の複合折機。
【請求項１３】
前記案内機構には、前記第２のシート群を前記第１のウェブ群に対して位相調整して前記第１のウェブ群と前記折胴外周との間に送り込む位相調整機構を有している
ことを特徴とする、請求項１〜１２の何れか１項に記載の複合折機。
【請求項１４】
請求項１〜１３の何れか１項に記載の複合折機を備えた印刷機であって、
前記の前記断裁横折装置である第１の断裁横折装置とは別の第２の断裁横折装置と、
前記第１の断裁横折装置の下流に配置された第１の排紙装置と、
前記第２の断裁横折装置の下流に配置された第２の排紙装置と、をそなえると共に、
印刷された前記第２のウェブ群を前記第１の断裁装置に導く第１の搬送ルートと、前記第２のウェブ群を前記第２の断裁横折装置に導く第２の搬送ルートとをそなえている
ことを特徴とする、複合折機を備えた印刷機。
【請求項１５】
印刷された一又は複数のウェブからなる第１のウェブ群を、第１の断裁長さに断裁し横折りして第１の冊子を形成する際に、印刷された一又は複数のウェブからなる第２のウェブ群を、前記第１の断裁長さ以下の第２の断裁長さに断裁し横折りしてなる第２の冊子が挿し込まれた状態に折り込む複合折方法であって、
前記第２のウェブ群を予め前記第２の断裁長さの第２のシート群に断裁する第１のステップと、
断裁された前記第２のシート群を、前記第１のウェブ群を断裁するための折胴に案内する第２のステップと、
前記折胴に前記第１のウェブ群を巻き付ける際に、前記第２のシート群を前記折胴外周と前記第１のウェブ群との間に挿し込む第３のステップと、
前記折胴外周に前記第１のウェブ群と前記第２のシート群とを保持して、前記折胴と共に回転させて前記第１のウェブ群を断裁胴により前記第１の断裁長さの第１のシート群に断裁する第４のステップと、
重合状態の前記第１のシート群と前記第２のシート群とを、前記折胴から折込ローラに送って同時に横折りする第５のステップと、をそなえている
ことを特徴とする、複合折方法。
【発明の詳細な説明】
【技術分野】
【０００１】
本発明は、印刷機に装備する折機であって２種の冊子を折り込み可能な複合折機、及びそれを備えた印刷機、ならびに複合折方法に関するものである。
【背景技術】
【０００２】
例えば、宅配用の新聞の場合など、新聞の折帖（主冊子）に広告等の折帖（副冊子）を挿し込むことが一般に行なわれるが、かかる作業は通常は手作業によって行なわれていた。
これに対して、特許文献１には、このように冊子の中に他の冊子を自動で挿し込む技術が記載されている。
【０００３】
新聞の折帖等の主冊子に広告等の副冊子を挿し込む場合、副冊子が主冊子とはカット長（サイズ）が異なる場合があるが、このような場合の折り込みの自動化を実現するには、異カット長印刷機を２台以上稼動させ、異サイズ２セクション以上の冊子を作ることと、さらに、各冊子の印刷後、別途インサータによりそれぞれの冊子をインサートすることが必要になる。特許文献１の技術は、このように、異カット長印刷機を２台以上装備し、且つ、インサータを装備することで、冊子にこれとは異サイズの冊子を自動で折り込めるようにしている。
【特許文献１】特開２００７−１３１００３号公報
【発明の開示】
【発明が解決しようとする課題】
【０００４】
しかしながら、例えば新聞輪転機の場合を考えると、所謂両出し、片出し、転送出し等に対応するために、操駆の各折機のカット長は同じに設定してあるのが一般的であり、異カット長印刷機を２台以上稼動させうるようにはなっていない。したがって、特許文献１の技術のように、異カット長印刷機を用意するには、大幅な設備増が必要になり、設備コストの大きな増加を招く。また、インサータといったインサート設備が必要となり、この点も大幅な設備コストを要する。
【０００５】
一方、新聞等とは異なるカット長の広告等の印刷を、これに応じたカット長の既存の印刷機を用いて行なえば、印刷機に関しては新たな設備コスト増は招かない。しかし、かかる異カット長の印刷機は、通常新聞輪転機に並んであるわけではないので、新聞等の主冊子とは別に、広告等の副冊子を印刷して冊子の状態にして、その後、主冊子内に挿し込むことになる。
【０００６】
したがって、インサート設備は必須になり、この点での設備コスト増は免れない。しかも、主冊子の印刷と同時進行で副冊子を印刷することは容易ではなく、副冊子を印刷するための時間や、これを搬送する時間が必要になり、さらに、冊子のインサート時間が必要になる。これに加えて、場合によってはその後副冊子を保管する必要が生じる。そして、これらの各作業のための人員が必要になり、人件費を要することになる。
【０００７】
本発明はこのような課題に鑑み案出されたもので、設備コスト増を抑えながら、一の冊子内に異サイズの冊子を自動で折り込むことができるようにした、複合折機，印刷機及び複合折方法を提供することを目的とする。
【課題を解決するための手段】
【０００８】
上記目的を達成するために、本発明の複合折機は、第１断裁胴，折胴及び折込ローラを有し、印刷された一又は複数のウェブからなる第１のウェブ群を断裁し横折りする断裁横折装置と、第２断裁胴及び受け胴を有し、印刷された一又は複数のウェブからなる第２のウェブ群を断裁する断裁装置と、前記断裁装置により断裁された前記第２のウェブ群である第２のシート群を前記断裁横折装置に搬送する搬送装置と、前記搬送装置により搬送された前記第２のシート群を、前記断裁横折装置の前記折胴外周に送給された前記第１のウェブ群と前記折胴外周との間に送り込んで前記第１のウェブ群と共に前記折胴外周に巻き付ける案内機構とをそなえ、前記断裁横折装置は、前記第１断裁胴により断裁された前記第１のウェブ群である第１のシート群と前記第２のシート群とを互いにに重合させた状態で、前記折胴及び前記折込ローラによって横折りすることを特徴としている（請求項１）。
【０００９】
前記第２のシート群の断裁長さは前記第１のシート群の断裁長さよりも短いことも好ましい（請求項２）。
また、前記断裁装置は、前記第２のシート群の断裁長さを調整可能に構成され、前記搬送装置は、前記第２のシート群を前記断裁長さに応じた速度に速度変更して前記断裁横折装置に搬送することが好ましい（請求項３）。
【００１０】
前記搬送装置は、互いに対向して配置され、前記第２のシート群を挟持しながら搬送する一対の搬送ベルトを有する搬送ベルト装置であることが好ましい（請求項４）。
前記案内機構は、前記第１のウェブ群と前記折胴外周との間に送り込まれる前記第２のシート群を、前記折胴外周に保持する保持機構をそなえていることが好ましい（請求項５）。
【００１１】
この場合、前記保持機構は、前記第２のシート群を爪によって把持する機構を有していることが好ましい（請求項６）。
あるいは、前記保持機構は、前記第２のシート群に針を差し込んで保持する機構を有していることが好ましい（請求項７）。
この場合、前記第２のシート群に差し込まれる前記針は、前記第１のシート群を前記折胴外周に保持するための針が兼用されてもよい（請求項８）。
【００１２】
また、前記保持機構は、前記第２のシート群を前記折胴外周に圧接するニップローラを有していることも好ましい（請求項９）。
あるいは、前記保持機構は、前記針によって保持された前記第２のシート群を前記折胴外周に圧接するニップローラを有していることも好ましい（請求項１０）。
また、前記保持機構は、前記折胴外周面の内部に吸引部を有し、前記第２のシート群を前記折胴外周面吸引して保持する吸引機構を有していることも好ましい（請求項１１）。
【００１３】
また、前記搬送装置は、互いに対向して配置され、前記第２のシート群を挟持しながら搬送する一対の搬送ベルトを有する搬送ベルト装置であって、前記案内機構は、前記折胴外周にクリアランスをもって接近して配置され、前記搬送ベルト装置の前記折胴外周を向く一方の搬送ベルトと対向して設けられ前記一方の搬送ベルトと同期して回転可能なコロを有し、前記一方の搬送ベルトと前記コロとの間で前記第２のシート群を挟持しながら前記第１のウェブ群と前記折胴外周との間に送り込むことも好ましい（請求項１２）。
【００１４】
さらに、前記案内機構には、前記第２のシート群を前記第１のウェブ群に対して位相調整して前記第１のウェブ群と前記折胴外周との間に送り込む位相調整機構を有していることが好ましい（請求項１３）。
本発明の複合折機を備えた印刷機は、請求項１〜１３の何れか１項に記載の複合折機を備えた印刷機であって、前記の前記断裁横折装置である第１の断裁横折装置とは別の第２の断裁横折装置と、前記第１の断裁横折装置の下流に配置された第１の排紙装置と、前記第２の断裁横折装置の下流に配置された第２の排紙装置と、をそなえると共に、印刷された前記第２のウェブ群を前記第１の断裁装置に導く第１の搬送ルートと、前記第２のウェブ群を前記第２の断裁横折装置に導く第２の搬送ルートとをそなえていることを特徴としている（請求項１４）。
【００１５】
本発明の複合折方法は、印刷された一又は複数のウェブからなる第１のウェブ群を、第１の断裁長さに断裁し横折りして第１の冊子を形成する際に、印刷された一又は複数のウェブからなる第２のウェブ群を、前記第１の断裁長さ以下の第２の断裁長さに断裁し横折りしてなる第２の冊子が挿し込まれた状態に折り込む複合折方法であって、前記第２のウェブ群を予め前記第２の断裁長さの第２のシート群に断裁する第１のステップと、断裁された前記第２のシート群を、前記第１のウェブ群を断裁するための折胴に案内する第２のステップと、前記折胴に前記第１のウェブ群を巻き付ける際に、前記第２のシート群を前記折胴外周と前記第１のウェブ群との間に挿し込む第３のステップと、前記折胴外周に前記第１のウェブ群と前記第２のシート群とを保持して、前記折胴と共に回転させて前記第１のウェブ群を断裁胴により前記第１の断裁長さの第１のシート群に断裁する第４のステップと、重合状態の前記第１のシート群と前記第２のシート群とを、前記折胴から折込ローラに送って同時に横折りする第５のステップと、をそなえていることを特徴としている（請求項１５）。
【発明の効果】
【００１６】
本発明の複合折機（請求項１）によれば、前記第２のウェブ群を断裁装置により予め断裁し、断裁された第２のシート群が、案内機構により案内されて、断裁横折装置の折胴外周に送給された第１のウェブ群と折胴外周との間に送り込まれて第１のウェブ群と共に折胴外周に巻き付けられる。そして、第１のウェブ群が断裁横折装置の第１断裁胴により断裁された後、断裁された第１のシート群と第２のシート群とは、折込ローラによって同時に横折りされる。この結果、第１のシート群が横折りされてなる冊子（主冊子）の中に、第２のシート群が横折りされてなる冊子（副冊子）が挿し込まれた状態で同時に形成されることになり、第２のシート群の断裁長さを第１のシート群の断裁長さよりも短くすれば（請求項２）、一の冊子内に異サイズの冊子を自動で折り込むことが可能になる。
【００１７】
断裁装置を、第２のシート群の断裁長さを調整可能に構成し、搬送装置を、第２のシート群を断裁長さに応じた速度に速度変更して断裁横折装置に搬送するように構成すれば、主冊子（第１のシート群が横折りされてなる冊子）の中に、さまざまなサイズの副冊子（第２のシート群が横折りされてなる冊子）を挿し込んだ状態に同時形成することができる（請求項３）。
【００１８】
搬送装置を、互いに対向する一対の搬送ベルトを有する搬送ベルト装置とすれば、一対の搬送ベルトにより第２のシート群を挟持しながら搬送するので、第２のシート群を所定の姿勢で搬送しやすく、第１のウェブ群と折胴外周との間に送り込む際にも、安定して送り込みやすい。また、搬送しながら第２のシート群を断裁長さに応じた速度に速度変更することも容易となる（請求項４）。
【００１９】
また、案内機構が、第２のシート群を、折胴外周に保持する保持機構をそなえていれば、第２のシート群を第１のシート群に対する所定の位置に保持しながら適正な姿勢で、第１のシート群との同時横折りを実施することができ、第２のシート群自体を適正な位置で横折りすることができ、第２のシート群からなる副冊子を適正な形状に形成することができる（請求項５）。
【００２０】
この場合、保持機構が、第２のシート群を爪によって把持する機構を有していれば、第２のシート群に穴等を開けずに保持することができ（請求項６）、保持機構が、第２のシート群に針を差し込んで保持する機構を有していれば、第２のシート群に穴が開くものの、シンプルな構成で保持することができる（請求項７）。また、第２のシート群に差し込まれる針に、第１のシート群を折胴外周に保持するための針を兼用すれば、装置構成が簡素化され、装置コストを抑えられる（請求項８）。
【００２１】
また、保持機構が、第２のシート群を折胴外周に圧接するニップローラを有していれば、第２のシート群が折胴外周から浮き上がり難くなり、第２のシート群を第１のウェブ群と折胴外周との間に確実に送り込むことができる（請求項９）。
かかるニップローラを、前記針と共に設ければ、針を挿し込むことにより第２のシート群を折胴外周に確実に保持しながら、針の挿し込みにより第２のシート群が折胴外周から浮き上がるのを防止することができ、第２のシート群を第１のウェブ群と折胴外周との間に適正な配置に且つ確実に送り込むことができる（請求項１０）。
【００２２】
また、保持機構が、折胴外周面の内部に吸引部を有し第２のシート群を折胴外周面吸引して保持する吸引機構を有していれば、第２のシート群になんら損傷を与えるおそれなく、折胴外周に保持することができる（請求項１１）。
さらに、搬送装置を搬送ベルト装置として、案内機構に、折胴外周を向く搬送ベルトと対向して設けられこの搬送ベルトと同期して回転可能なコロを有するようにすれば、この搬送ベルトとコロとの間で第２のシート群を挟持しながら、第２のシート群を第１のウェブ群と折胴外周との間に確実に送り込むことができ、特に、コロを折胴外周にクリアランスをもちつつ接近して配置すれば、第２のシート群の案内をより適正に行なえる。特に、このコロを適用する場合、第２のシート群がコロから第１のウェブ群と折胴外周との間に進入するまでになんら拘束されなくなるので、前記吸引機構をさらに適用すれば、第２のシート群がコロから折胴外周に達して第１のウェブ群と折胴外周との間に進入するまで折胴外周面に確実に保持することができる（以上、請求項１２）。
【００２３】
また、案内機構に、第２のシート群を第１のウェブ群に対して位相調整して第１のウェブ群と折胴外周との間に送り込む位相調整機構を有していれば、第２のシート群を第１のウェブ群に対して所望の位置に配置して、所望の位置で横折りすることができ（請求項１３）る。
本発明の複合折機を備えた印刷機（請求項１４）によれば、第１の搬送ルートを用いれば、断裁装置により予め断裁された第２のシート群を第１のウェブ群に重ねて、第１の断裁横折装置により第１のウェブ群の断裁と、断裁された第１のシート群と第２のシート群とを同時横折りして、第１のシート群による冊子（主冊子）内に第２のシート群による冊子（副冊子）が挿し込まれた形で、第１の排紙装置から排紙する（所謂、片出し）ことができる。
【００２４】
また、第２の搬送ルートを用いれば、第１のシート群を第１の断裁横折装置により断裁し横折りしてできた第１のシート群からなる冊子を第１の排紙装置から排紙する一方で、第２のシート群を第２断裁横折装置により断裁し横折りしてできた第２のシート群からなる冊子を第２の排紙装置から排紙する（所謂、両出し）ことができる。
したがって、汎用性の高い印刷機が構成される。
【００２５】
本発明の複合折方法（請求項１５）によれば、折胴に第１のウェブ群を巻き付ける際に、第２のシート群を折胴外周と第１のウェブ群との間に挿し込むので、第１のウェブ群を断裁後に、重合状態の第１のシート群と第２のシート群とを、折胴から折込ローラに送って同時に横折りする。この結果、第１のシート群が横折りされてなる冊子（主冊子）の中に、第２のシート群が横折りされてなる冊子（副冊子）が挿し込まれた状態で同時に形成されることになり、第２のシート群の断裁長さを第１のシート群の断裁長さよりも短くすれば、一の冊子内に異サイズの冊子を自動で折り込むことが可能になる。
【発明を実施するための最良の形態】
【００２６】
以下、図面により、本発明の実施の形態について説明する。
［第１実施形態］
＜概要構成＞
図１〜図９を参照して本発明の第１実施形態に係る複合折機を説明する。
まず、本複合折機を適用しうる印刷機の一例を説明する。本複合折機は、例えば新聞用オフセット輪転印刷機（新聞輪転機）に適用することができる。この新聞輪転機は、周知の構成であるが、図９に示すように、新聞輪転機１００は、複数の印刷ユニットＴ１〜Ｔ６，ウェブパス部１１４及び折加工部１１５が印刷用紙としてのウェブ（連続紙）１０１の走行経路にこの順にそなえて構成される。
【００２７】
また、各印刷ユニットＴ１〜Ｔ６には、ウェブローラ（巻取紙）１０１ａを装着された給紙部１１１と、インフィード部１１２と、表裏それぞれ適宜の数の版胴及びブランケット胴を備えた印刷部１１３とがこの順に設けられている。ウェブパス部１１４は、制御要素としてのコンペンセータローラ等によりウェブパスルートの長さを調整し、ウェブパスルート変更機構により種々の組み合わせで各ウェブ１０１の重ね合わせ順を変更することができる。なお、新聞輪転機の場合、通常ウェブパス部１１４において、スリッタ（図示略）により必要に応じてウェブ１０１が幅方向に２分割されるため、より複雑なウェブパスルートが形成されることとなる。
【００２８】
折加工部１１５には、集合したウェブを縦折りするフォーマ（三角板）がそなえられるが、ここでは、複数（少なくとも２個）のフォーマ（三角板）１１５ａ，１１５ｂがそなえられるものとする。そして、図９には示さないが、この折加工部１１５に、本複合折機が適用される。なお、本複合折機の新聞輪転機１００への適用は一例であり、商業用オフセット輪転機など、本複合折機はウェブを用いる印刷機に広く適用しうるものである。
【００２９】
＜複合折機の全体構成＞
本複合折機は、図１に示すように、それぞれの印刷ユニットにおいて印刷されて複数枚重合されてなるウェブ群（第１のウェブ群、以下、単に、第１ウェブともいう）１を加工する第１のフォーマ１０と、やはり、それぞれ印刷されて複数枚重合されてなるウェブ群（第２のウェブ群、以下、単に、第２ウェブともいう）２を加工する第２のフォーマ２０と、を上流部にそなえている。
【００３０】
なお、これらのフォーマ１０，２０は、図９の新聞輪転機の場合、フォーマ１１５ａ，１１５ｂに相当する。また、各ウェブ群１，２は、通常、複数枚のウェブがウェブパス部を経て集められて構成されるが、本発明自体は一枚だけのウェブであってもよい。また、フォーマ１０，２０では、各ウェブ群１，２を縦折りするが、フォーマ１０，２０の直前でスリッタにより縦方向に切断されると、フォーマ１０，２０から下流側に送給されるウェブ群は、縦折りされたものではなく、縦切断により枚数が２倍になって重合した反幅のウェブ群となる。なお、ここでは、第２のフォーマ２０の場合、このようなスリッタによる縦方向切断が可能に構成されているものとする。なお、本実施形態で設けられるフォーマ１０，２０は、本発明にかかる印刷機としては必須ではなく、例えば、縦折が不要な場合、フォーマは簡単な経路変更用のローラなどで構成される場合もある。
【００３１】
このような第１のフォーマ１０の下流には、第１断裁胴１３，折胴１２及び折込ローラ１４を有し、第１のフォーマ１０からニップローラ１０ａを経て送給される第１のウェブ１を断裁し横折りする断裁横折装置（第１の断裁横折装置）１１がそなえられる。また、第２のフォーマ２０の下流には、第２断裁胴２２及び受け胴２３を有し、第２のフォーマ２０からニップローラ２０ａを経て送給される第２のウェブ２を断裁する断裁装置２１がそなえられる。なお、断裁装置２１は、第２のフォーマ２０の下流と断裁横折装置１１との間に配置される。
【００３２】
そして、断裁装置２１から断裁横折装置１１にかけて、断裁装置２１により第２のウェブ２を断裁され形成された第２のシート群（第２のシートとも略す）２Ａを断裁横折装置に搬送する搬送装置として、互いに対向して配置され、第２のシート２Ａを挟持しながら搬送する一対の搬送ベルトを有する搬送ベルト装置２４が装備される。これにより、第２のウェブ２を、断裁装置２１で断裁し、搬送ベルト装置２４を介して断裁横折装置１１に送り、第１のウェブ１と重ねて折り込むようにする第１の搬送ルートが構成される。
【００３３】
一方、本実施形態の場合、断裁装置２１の下方に、もう一つの断裁横折装置（第２の断裁横折装置）１１Ａがそなえられ、ガイドロール２０ｂを介して第２のウェブ２を、断裁装置２１を迂回させてこの断裁横折装置１１Ａに送って、第１のウェブ１系統とは無関係に、断裁し横折りして折帖（冊子）２Ｂを形成できるようになっている。
そして、断裁横折装置１１の下流及び断裁横折装置１１Ａの下流には、それぞれ形成された折帖（冊子）１Ｂ，２Ｂを排紙する排紙装置として、羽根車１５，２８及び排紙コンベア１６，２９，３０がそなえられている。
【００３４】
＜複合折機の要部構成＞
ここで、本複合折機の要部を説明する。
図２（ａ）に示すように、断裁装置２１により断裁された第２のシート２Ａは、搬送ベルト装置２４の一対の搬送ベルト２４ａ，２４ｂに挟持されて断裁横折装置１１に搬送されるが、搬送ベルト２４ａ，２４ｂはガイドロール２４ｃによって断裁横折装置１１の折胴１２の外周面の近くまで達するように配置されており、第２のシート２Ａは、その後部を十分な長さに亘って搬送ベルト２４ａ，２４ｂに挟持された状態で、折胴１２の外周面に達する。
【００３５】
なお、折胴１２には、第１のウェブ１に進入して第１のウェブ１を折胴１２の外周面に保持する針１２ｂと、第１のウェブ１を断裁された第１のシート１Ａと第２のシート２Ａとを折込ロール１４に送り込む折ブレード１２ａとをそなえている。また、この折胴１２に対向する断裁胴１３には、折胴１２の折ブレード１２ａや針１２ｂの位相に対応した位置に鋸刃１３ａがそなえられている。
【００３６】
ここで、第２のシート２Ａを、折胴１２外周に送給された第１のウェブ１と折胴１２外周との間に送り込んで、第１のウェブ１と共に折胴１２外周に巻き付けるように案内する案内機構として、第２のシート２Ａを折胴１２外周に保持する保持機構が設けられている。この保持機構は、折胴１２の外周面にそなえられた爪装置（以下、単に爪という）３１であって、この爪３１によって第２のシート２Ａの前端を把持し折胴１２外周に保持するようになっている。
【００３７】
爪３１のより具体的な構成としては、図２（ｂ）に示すように、折胴１２の外周面の内側に装備され、ピン３１ｂに枢支されて折胴１２の外周面に近い先端側を周方向に揺動する揺動爪１３ａと、揺動爪３１ａの先端の爪部３１ｃが当接する折胴１２の外周面の内側に形成された受け面３１ｄとをそなえた構成を用いることができる。これにより、揺動爪３１ａの爪部３１ｃと受け面３１ｄとで第２のシート２Ａの前端を把持して、折胴１２の外周に第２のシート２Ａを保持することができる。この場合、揺動爪３１ａは折胴１２の外周面から突出しないので、第１のシート１Ａを折胴１２の外周に保持して処理する場合にも支障はない。
【００３８】
あるいは、爪１３のより具体的な構成としては、図２（ｃ）に示すように、折胴１２の外周面の内側に装備され、ピン３１ｂ´に枢支されて折胴１２の外周面に近い先端側を周方向に揺動する揺動爪３１ａ´と、揺動爪３１ａ´の先端の爪部３１ｃ´が当接する折胴１２の外周面の内側に形成された受け面３１ｄ´と、受け面３１ｄ´に向けて第２のシート２Ａの前端を差し込む差し込み部材３１ｅとをそなえた構成を用いることができる。この場合、図２（ｂ）のものでは受け面３１ｄが折胴１２の外周面と略平行に構成されるが、この図２（ｃ）のものでは受け面３１ｄ´が折胴１２の外周面と略直角に構成されるので、差し込み部材３１ｅによって第２のシート２Ａの前端を受け面３１ｄ´に差し込む必要があるが、折胴１２の外周面と略直角な受け面３１ｄ´及び爪部３１ｃ´により把持することで、折胴１２の外周に第２のシート２Ａをより確実に保持することができる。
【００３９】
なお、揺動爪３１ａ，３１ａ´の揺動は適宜のタイミングでなされ、また、差し込み部材３１ｅは所定のタイミングで折胴１２の中心方向に向けて移動して第２のシート２Ａの前端を受け面３１ｄ´に差し込だら、直ぐに折胴１２の外周面よりも外方に退避して、回転する折胴１２と干渉しないようになっている。
なお、保持機構としては、図３（ａ）に示すように、折胴１２の外周面から出没し突出時には第２のシート２Ａの前端に進入して保持する針３２と、前端を針３２により保持された第２のシート２Ａを折胴１２外周に圧接するニップローラ３３とから構成することもできる。この場合、針３２は突出して第２のシート２Ａの前端に進入して第２のシート２Ａを保持し、その後、ニップローラ３３が折胴１２外周面との間で第２のシート２Ａを把持した段階で折胴１２外周面よりも内方に没するようになっている。
【００４０】
このような保持機構の場合、針３２は第２のシート２Ａの前端を保持して、ニップローラ３３はその後を第２のシート２Ａが折胴１２外周から浮き上がることなく、第１のウェブ１と折胴１２外周との間に確実に送り込むように案内し、役割分担される。
ただし、第２のシート２Ａが、例えば枚数が多いなどによって剛性が高ければ、ニップローラ３３を省略しても、第２のシート２Ａを、第１のウェブ１と折胴１２外周との間に確実に送り込むことが可能である。
【００４１】
また、第２のシート２Ａの長さ（つまり、第２のウェブ２のカットオフ長さ）が第１のシート１Ａの長さ（つまり、第１のウェブ１のカットオフ長さ）に近い又は等しい場合には、第１のウェブ１を折胴１２の外周面に保持する針１２ｂを用いて（兼用して）第２のシート２Ａを折胴１２の外周に保持させるようにしてもよい。
さらに、案内機構としては、図４に示すように、折胴１２外周にクリアランスをもって接近して配置され、搬送ベルト装置２４の折胴１２外周を向く一方の搬送ベルト２４ａと対向するように回転可能なコロ３４を設け、このコロ３４を搬送ベルト２４ａと同期して回転させ、搬送ベルト２４ａとコロ３４との間で第２のシート２Ａを挟持しながら第１のウェブ１と折胴１２外周との間に送り込むようにしてもよい。
【００４２】
ただし、この場合、第２のシート２Ａがコロ３４で案内された箇所から第１のウェブ１と折胴１２外周との間に進入するまでになんら拘束されなくなるので、図５に示すように、第２のシート２Ａの先端を吸引保持する吸引機構３５をさらに追加することが考えられる。なお、吸引機構３５は、折胴１２外周に面した所要の位置に配置された真空ボックス３５ａと、真空ボックス３５ａ内を真空引きする図示しない真空引き装置とから構成すればよい。
また、吸引機構３５は単独で用いても、第２のシート２Ａの先端を吸引して折胴１２外周に保持することができる。
【００４３】
＜搬送速度の変更＞
ところで、本実施形態では、第２のウェブ２の印刷系統は、カットオフ長さを調整可能なバリアブルカットオフ機として構成されている。したがって、第２のシート２Ａの長さ（つまり、第２のウェブ２のカットオフ長さ）が第１のシート１Ａの長さ（つまり、第１のウェブ１のカットオフ長さ）よりも短くでき、この場合、図示しない印刷ユニットから第２のフォーマ２０及び断裁装置２１までの第２のウェブ２の搬送速度は、第１のウェブ１の搬送速度よりも遅くなる。断裁横折装置１１においては、第１のシート１Ａの１部に対して第２のシート２Ａの１部が対応するように、第２のシート２Ａの搬送速度を高める必要がある。搬送ベルト装置２４の搬送ベルト２４ａ，２４ｂも、第２のシート２Ａを断裁装置２１から受けてから搬送速度を加速して断裁横折装置１１に送り込むようにしているが、より適切に速度を変えるには、図６に示すような構成が好ましい。
【００４４】
図６に示すように、搬送ベルト装置として、上流部搬送ベルト装置２４１と、下流部搬送ベルト装置２４２とを設けている。
上流部搬送ベルト装置２４１は対向する一対の搬送ベルト２４１ａ，２４１ｂと、これらの搬送ベルト２４１ａ，２４１ｂを所定の軌道に案内するガイドローラ２４１ｃ〜２４１ｈとから構成され、第２のシート２Ａを第２のフォーマ２０及び断裁装置２１と等速で搬送する。
【００４５】
下流部搬送ベルト装置２４２は対向する一対の搬送ベルト２４２ａ，２４２ｂと、これらの搬送ベルト２４２ａ，２４２ｂを所定の軌道に案内するガイドローラ２４２ｃ，２４２え，２４２ｇ〜２４２ｊとから構成され、第２のシート２Ａを上流部搬送ベルト装置２４１よりも高速に加速して折胴１２に送り込む。ここでは、２４２ｆが駆動ローラ（変速ローラ）になっており、この駆動ローラ２４２ｆが回転速度を変更することにより、搬送ベルト２４２ａ，２４２ｂを加減速できるようになっている。
【００４６】
また、下流部搬送ベルト装置２４２の入口部の互いに対設されたガイドローラ２４２ｃ，２４２ｄは、変速ローラ２４２ｆの回転速度に応じて、図６中に実線で示すように離隔したシート開放位置と、二点鎖線で示すように接近したシート挟持位置とに切り換わるようになっている。
つまり、下流部搬送ベルト装置２４２で第２のシート２Ａを第２のウェブ２の速度よりも高速で搬送している時にはガイドローラ２４２ｃ，２４２ｄはシート開放位置とされ、下流部搬送ベルト装置２４２でシート２Ａをウェブ２の速度と等速で搬送している時にはガイドローラ２４２ｃ，２４２ｄはシート挟持位置とされる。これにより、上流部搬送ベルト装置２４１から下流部搬送ベルト装置２４２へのシート２Ａの受け渡し時に、速度差が生じないようにすることができ、シート２Ａの受け渡しを支障なく円滑に行なえるようになっている。
なお、爪３１或いは針３２といったシート２Ａを保持する機構も、カットオフ長さに応じてその保持位置が可変になっている。
【００４７】
＜作用、効果＞
本発明の第１実施形態にかかる複合折機は上述のように構成されているので、以下のように、複合折を実施することができる。
【００４８】
つまり、第２のウェブ２Ａを断裁装置２１により予め断裁し、断裁された第２のシート２Ａを案内機構により案内して、断裁横折装置１１の折胴１２外周に送給する。
そして、第２のウェブ２Ａを、断裁前であって折胴１２外周に送られた第１のウェブ１と折胴１２外周との間に送り込むことにより、第２のウェブ２Ａを、第１のウェブ１と共に折胴外周に巻き付ける。
【００４９】
この後、第１のウェブ１が断裁横折装置１１の断裁胴１３により断裁された後、断裁された第１のシート１Ａと第２のシート２Ａとを、折ブレード１２ａを用いて折込ローラ１３に送り込んで、折込ローラ１３によって１のシート１Ａと第２のシート２Ａとを同時に横折りする。
この結果、図７（ａ）に示すように、第１のシート１Ａが横折りされてなる冊子（主冊子）１Ｂの中に、第２のシート２Ａが横折りされてなる冊子（副冊子）２Ｂが挿し込まれた状態で同時に形成されることになり、第２のシート２Ａの断裁長さを第１のシート１Ａの断裁長さよりも短くすれば、冊子（主冊子）１Ｂ内にこれと異サイズの冊子（副冊子）２Ｂを自動で折り込むことができる。
【００５０】
本実施形態の場合、第２のシート２Ａの断裁長さを調整可能に構成しており、搬送コンベア装置２４Ａを、第２のシート２Ａを断裁長さに応じた速度に速度変更して断裁横折装置１１に搬送するように構成しているので、主冊子１Ｂの中に、さまざまなサイズの副冊子２Ｂを挿し込んだ状態に同時形成することができる。
なお、第２のウェブ２がフォーマ２０に進入する際にスリッタで処理されれば、図７（ｂ）に示すように、主冊子１Ｂの中に、第２のシート２Ａがスリッタで処理され横折りされてなる折り目のない冊子（副冊子）２Ｃが挿し込まれた状態で同時に形成されることになる。
【００５１】
また、第１のシート１Ａ一部に対して第２のシート２Ａを二部送り込むようにすれば、図８（ａ），（ｂ）に示すように、一部の主冊子１Ｂの中に、二部の副冊子２Ｄ、２Ｅを挿し込んだ状態に同時形成することができる。もちろんこの場合、第２のシート２Ａは、交互に異なる印刷が断裁横折装置１１に送り込まれるようにすることになる。
なお、この折込時には、案内機構及びこれにそなえられる保持機構により、第２のシート２Ａを確実に第１のシート１Ａに重合させることができ、主冊子１Ｂの中に、副冊子２Ｂを挿し込んだ状態に確実に同時形成することができる。
【００５２】
また、本実施形態の場合、第１の搬送ルートを用いれば、断裁装置２１により予め断裁された第２のシート２Ａを第１のウェブ１に重ねて、断裁横折装置１２により第１のウェブ１の断裁と、断裁された第１のシート１Ａと第２のシート２Ａとを同時横折りして、第１のシート１Ａによる冊子（主冊子）１Ｂ内に第２のシート２Ａによる冊子（副冊子）２Ｂが挿し込まれた形で、第１の排紙装置から排紙する（所謂、片出し）ことができる。
【００５３】
また、第２の搬送ルートを用いれば、第１のシート１Ａを断裁横折装置１１により断裁し横折りしてできた第１のシート群からなる冊子を第１の排紙装置から排紙する一方で、第２のシート２Ａを断裁横折装置２５，２６，２７により断裁し横折りしてできた第２のシート２Ａからなる冊子２Ｂを排紙装置２８〜３０から排紙する（所謂、両出し）ことができる。
【００５４】
［第２実施形態］
＜概要構成＞
図１０を参照して本発明の第２実施形態に係る複合折機を説明する。
本実施形態では、第１実施形態の第２の搬送ルート，断裁横折装置２５，２６，２７及び排紙装置２８〜３０等を省略したもので、他は第１実施形態と同様に構成される。なお、図１０において図１と同符号は同様な部材を示す。
このような構成によれば、両出しはできず片出しのみとなるが、第１実施形態と同様にの作用効果を得ることができる。
【００５５】
［その他］
なお、本発明は、かかる実施形態に限定されるものではなく、本発明は、その趣旨を逸脱しない範囲で、上記の実施形態に対して種々変形を加えて実施することができる。
例えば、新聞輪転機に限らず種々の印刷機に適用できる。
【図面の簡単な説明】
【００５６】
【図１】本発明の第１実施形態にかかる複合折機を示す側面図である。
【図２】本発明の第１実施形態にかかる複合折機の案内機構の第１構成例を示す図であり、（ａ）はその複合折機の要部側面図、（ｂ）はその案内機構の爪の第１例の要部側面図、（ｃ）はその案内機構の爪の第２例の要部側面図である。
【図３】本発明の第１実施形態にかかる複合折機の案内機構の第２構成例を示す図であり、（ａ）はその複合折機の要部側面図、（ｂ）はその複合折機の要部斜視図である。
【図４】本発明の第１実施形態にかかる複合折機の案内機構の第３構成例を示す図複合折機の要部側面図である。
【図５】本発明の第１実施形態にかかる複合折機の案内機構の第４構成例を示す図複合折機の要部側面図である。
【図６】本発明の第１実施形態にかかる複合折機の搬送装置を示す側面図である。
【図７】本発明の各実施形態にかかる複合折機により得られる冊子の状態を、（ａ），（ｂ）それぞれに示す斜視図である。
【図８】本発明の各実施形態にかかる複合折機により得られる他の冊子の状態を、（ａ），（ｂ）それぞれに示す斜視図である。
【図９】本発明の各実施形態にかかる印刷機を示す構成図である。
【図１０】本発明の第２実施形態にかかる複合折機を示す構成図である。
【符号の説明】
【００５７】
１  ウェブ群（第１のウェブ群、第１ウェブ）
２  ウェブ群（第２のウェブ群、第２ウェブ）
１Ｂ，２Ｂ  折帖（冊子）
１０  第１のフォーマ
１０ａ  ニップローラ
１１  断裁横折装置（第１の断裁横折装置）
１１Ａ  断裁横折装置（第２の断裁横折装置）
１２，２５  折胴
１２ａ  折ブレード
１２ｂ  針
１３  第１断裁胴
１３ａ  鋸刃
１４，２７  折込ローラ
１５，２８  羽根車
１６，２９，３０  排紙コンベア
２０  第２のフォーマ
２０ａ  ニップローラ
２０ｂ  ガイドロール
２１  断裁装置
２２  第２断裁胴
２３  受け胴
２４  搬送ベルト装置
２４ａ，２４ｂ  搬送ベルト
２４ｃ  ガイドロール
３１  爪装置（爪）
３１ｂ，３１ｂ´  ピン
３１ａ，３１ａ´  揺動爪
３１ｃ，３１ｃ´  爪部
３１ｄ，３１ｄ´  受け面
３１ｅ  差し込み部材
３２  針
３３  ニップローラ
３４  コロ
３５  吸引機構
１００  新聞輪転機
１０１  ウェブ（連続紙）
１０１ａ  ウェブローラ（巻取紙）
１１１  給紙部
１１２  インフィード部
１１３  印刷部
１１４  ウェブパス部
１１５  折加工部
１１５ａ，１１５ｂ  フォーマ（三角板）
Ｔ１〜Ｔ６  印刷ユニット
【図１】
0005102677.tif 000002
【図２】
0005102677.tif 000003
【図３】
0005102677.tif 000004
【図４】
0005102677.tif 000005
【図５】
0005102677.tif 000006
【図６】
0005102677.tif 000007
【図７】
0005102677.tif 000008
【図８】
0005102677.tif 000009
【図９】
0005102677.tif 000010
【図１０】
0005102677.tif 000011